(57)【要約】【課題】検査項目のコード間の関係に基づいて検査結果を補正することのできる仕組を提供する。【解決手段】第１の検査コードに対応する検査と第２の検査コードに対応する検査との検査結果を出力する指示を受け付けると、同一の検体に対する前記第１の検査コードに対応する検査と前記第２の検査コードに対応する検査との検査結果に基づいて設定された特定の関係が記憶された記憶部を参照し、前記特定の関係に基づいて、出力の指示を受け付けた前記第１の検査コードに対応する検査の検査結果を変換した変換結果を出力する、処理をコンピュータに実行させる。【選択図】図２
2018060239.tif 000002
【特許請求の範囲】
【請求項１】
第１の検査コードに対応する検査と第２の検査コードに対応する検査との検査結果を出力する指示を受け付けると、同一の検体に対する前記第１の検査コードに対応する検査と前記第２の検査コードに対応する検査との検査結果に基づいて設定された特定の関係が記憶された記憶部を参照し、
前記特定の関係に基づいて、出力の指示を受け付けた前記第１の検査コードに対応する検査の検査結果を変換した変換結果を出力する、
処理をコンピュータに実行させることを特徴とする検査結果変換プログラム。
【請求項２】
前記特定の関係は、相関係数と、傾きと、切片とで特定される換算式により表現される、
ことを特徴とする請求項１に記載の検査結果変換プログラム。
【請求項３】
前記検査コードには、検査が有効な期間を示す開始日および終了日と、版数とが対応付けられる、
ことを特徴とする請求項１または２に記載の検査結果変換プログラム。
【請求項４】
第１の検査コードに対応する検査と第２の検査コードに対応する検査との検査結果を出力する指示を受け付けると、同一の検体に対する前記第１の検査コードに対応する検査と前記第２の検査コードに対応する検査との検査結果に基づいて設定された特定の関係が記憶された記憶部を参照し、
前記特定の関係に基づいて、出力の指示を受け付けた前記第１の検査コードに対応する検査の検査結果を変換した変換結果を出力する、
処理を実行する機能を備えることを特徴とする検査結果変換装置。
【請求項５】
第１の検査コードに対応する検査と第２の検査コードに対応する検査との検査結果を出力する指示を受け付けると、同一の検体に対する前記第１の検査コードに対応する検査と前記第２の検査コードに対応する検査との検査結果に基づいて設定された特定の関係が記憶された記憶部を参照し、
前記特定の関係に基づいて、出力の指示を受け付けた前記第１の検査コードに対応する検査の検査結果を変換した変換結果を出力する、
処理をコンピュータが実行することを特徴とする検査結果変換方法。
【発明の詳細な説明】
【技術分野】
【０００１】
本発明は、検査結果変換プログラム、検査結果変換装置および検査結果変換方法に関する。
【背景技術】
【０００２】
病院の検査室や検査機関では採血した血液等の検体に対する各種の検査が行われているが、同じ検査項目であっても検査法、分析装置、試薬等が変わることにより、検査結果値や基準値（正常・異常を判断する値等）が異なる場合がある。
【０００３】
ある検査項目について検査法、分析装置、試薬等を変更する場合、新旧の検査結果値や基準値の相関をとり、必要に応じて手計算で一方の検査結果値や基準値を他方の検査結果値や基準値に換算する。施設間で検査結果値をやりとりする場合も同様に換算を行う。なお、相関（相関情報）の取得は、同一の検体に対する以前の検査項目に対応する検査と、新しい検査項目に対応する検査との検査結果値を複数の検体について比較し、新旧の検査結果値の数値的な対応関係を把握することにより行う。
【０００４】
一方、医療検査データ集計システムについて開示がある（特許文献１等を参照）。
【先行技術文献】
【特許文献】
【０００５】
【特許文献１】特開平６−３３７９０１号公報
【発明の概要】
【発明が解決しようとする課題】
【０００６】
上述したように、従来は新旧の検査結果値や基準値の相関に基づいて手計算で換算が行われているのが実情であり、手間がかかるために実施されないことが多いとともに、実施される場合にあってもミスが発生する恐れがあるという問題があった。
【０００７】
そこで、一側面では、検査項目のコード間の関係に基づいて検査結果を補正することのできる仕組を提供することを目的とする。
【課題を解決するための手段】
【０００８】
一つの形態では、第１の検査コードに対応する検査と第２の検査コードに対応する検査との検査結果を出力する指示を受け付けると、同一の検体に対する前記第１の検査コードに対応する検査と前記第２の検査コードに対応する検査との検査結果に基づいて設定された特定の関係が記憶された記憶部を参照し、前記特定の関係に基づいて、出力の指示を受け付けた前記第１の検査コードに対応する検査の検査結果を変換した変換結果を出力する、処理をコンピュータに実行させる。
【発明の効果】
【０００９】
検査項目のコード間の関係に基づいて検査結果を補正することができる。
【図面の簡単な説明】
【００１０】
【図１】一実施形態にかかるシステムの構成例を示す図である。
【図２】システムの機能構成例を示す図である。
【図３】検体検査システム・サーバ装置等のハードウェア構成例を示す図である。
【図４】実施形態の処理例を示すシーケンス図（その１）である。
【図５】実施形態の処理例を示すシーケンス図（その２）である。
【図６】検査項目一覧画面の例を示す図である。
【図７】メンテナンス画面の例を示す図である。
【図８】マスタガイドダイアログの例を示す図である。
【図９】ＪＬＡＣ１０登録支援機能の例を示す図である。
【図１０】実施形態の処理例を示すシーケンス図（その３）である。
【図１１】実施形態の処理例を示すシーケンス図（その４）である。
【図１２】二次利用データ抽出画面の例を示す図である。
【図１３】検査項目詳細画面の例を示す図である。
【図１４】検査結果値の変換の例を示す図である。
【図１５】二次利用ＣＳＶデータの例を示す図である。
【発明を実施するための形態】
【００１１】
以下、本発明の好適な実施形態につき説明する。
【００１２】
＜構成＞
図１は一実施形態にかかるシステムの構成例を示す図である。図１において、検体検査の情報管理を行う検体検査システム・サーバ装置１には、病院内ＬＡＮ（Local  Area  Network）等のネットワーク５を介して、１台以上の検査装置２と、主として検査部門の担当者が使用する１台以上の端末装置６とが接続されている。検査装置２は、検査結果をオンラインで検体検査システム・サーバ装置１に送信する機能を有している。なお、検査結果をオンラインで検体検査システム・サーバ装置１に送信できないタイプの検査については、端末装置６から検査結果を検体検査システム・サーバ装置１に入力する場合もある。
【００１３】
また、電子カルテの情報管理を行う電子カルテシステム・サーバ装置３についても、ネットワーク５を介して、主として診療部門の担当者（医師、看護師等）が使用する１台以上の端末装置７が接続されている。また、検体検査システム・サーバ装置１および電子カルテシステム・サーバ装置３で管理する情報を蓄積して共有化するための診療データ蓄積サーバ装置４がネットワーク５に接続されている。
【００１４】
また、検体検査システム・サーバ装置１および電子カルテシステム・サーバ装置３における検査項目のマスタデータの一元的な管理を行うとともに、検査結果値の統一のための換算を行う検査項目カタログ・サーバ装置８がネットワーク５に接続されている。検体検査システム・サーバ装置１と電子カルテシステム・サーバ装置３と診療データ蓄積サーバ装置４と検査項目カタログ・サーバ装置８の間では、ＯＤＢＣ（Open  Database  Connectivity）等の仕組によりデータ参照等が可能であるとともに、各種の通知等が行えるようになっている。
【００１５】
図２はシステムの機能構成例を示す図である。図２において、検体検査システム・サーバ装置１は、検査情報管理部１１と検査項目マスタ１２と基準値マスタ１３と検査情報１４と通信部１５とを備えている。検査情報管理部１１は、検体の検査に関する各種の情報を管理する機能を有している。検査項目マスタ１２は、検体項目のマスタデータを保持するものである。検査項目マスタ１２は、後で説明する画面例に表示される項目を含むものであり、状態（一次保存、運用待、運用中、中止）、項目コード、版数、変更歴、検査名、項目名称、略称名、英名称、有効開始日、有効終了日、親項目コード、単位、採取、材料、分野、原理、測定機等を含んでいる。基準値マスタ１３は、検査項目ごとに、検査結果値の正常・異常を判断する際に用いられる基準値のマスタデータを保持するものである。検査情報１４は、検査の管理情報と検査結果値とを含んでいる。通信部１５は、他の装置とデータ（情報）の通信を行う機能を有している。
【００１６】
電子カルテシステム・サーバ装置３は、診療情報管理部３１と検査項目マスタ３２と基準値マスタ３３と診療情報３４と通信部３５とを備えている。診療情報管理部３１は、電子カルテとしての各種の診療情報を管理する機能を有している。検査項目マスタ３２は、検体項目のマスタデータを保持するものである。基準値マスタ３３は、基準値のマスタデータを保持するものである。診療情報３４は、患者の診療記録を含んでいる。通信部３５は、他の装置とデータ（情報）の通信を行う機能を有している。
【００１７】
診療データ蓄積サーバ装置４は、情報蓄積管理部４１と診療情報４２と検査結果情報４３と通信部４４とを備えている。情報蓄積管理部４１は、情報の蓄積・提供を管理する機能を有している。診療情報４２は、電子カルテシステム・サーバ装置３から複製された、患者の診療記録を含んでいる。検査結果情報４３は、検体検査システム・サーバ装置１から複製された検査結果値を含んでいる。通信部４４は、他の装置とデータ（情報）の通信を行う機能を有している。
【００１８】
検査項目カタログ・サーバ装置８は、通信部８１とマスタメンテナンス部８２と二次利用部８３と検査項目マスタ８４と基準値マスタ８５と相関情報８６と二次利用情報８７とを備えている。通信部８１は、他の装置とデータ（情報）の通信を行う機能を有している。マスタメンテナンス部８２は、検体検査システム・サーバ装置１の検査項目マスタ１２および基準値マスタ１３と、電子カルテシステム・サーバ装置３の検査項目マスタ３２と基準値マスタ３３を一括にメンテナンスする機能を有している。二次利用部８３は、検体検査システム・サーバ装置１の検査情報１４、電子カルテシステム・サーバ装置３の診療情報３４、または、診療データ蓄積サーバ装置４の診療情報４２、検査結果情報４３から必要な情報を抽出し、二次利用を行う機能を有している。検査項目マスタ８４は、メンテナンスのための検体項目のマスタデータを保持するものである。基準値マスタ８５は、メンテナンスのための基準値のマスタデータを保持するものである。相関情報８６は、検査法、分析装置、試薬等が異なる、新旧の検査項目についての相関情報であり、換算元検査項目コード、版数、換算可能最小値、最大値、相関係数、傾き、切片、条件、相関図、検討データ等を含んでいる。二次利用情報８７は、二次利用のために抽出された情報である。
【００１９】
端末装置６、７は、それぞれ、通信部６１、７１と入出力部６２、７２とを備えている。通信部６１、７１は、他の装置とデータ（情報）の通信を行う機能を有している。入出力部６２、７２は、データ（情報）の入出力、画面表示等を行う機能を有している。
【００２０】
図３は検体検査システム・サーバ装置１等のハードウェア構成例を示す図である。電子カルテシステム・サーバ装置３、診療データ蓄積サーバ装置４、端末装置６、７、検査項目カタログ・サーバ装置８についても、ハードウェア構成は同様である。
【００２１】
図３において、検体検査システム・サーバ装置１等は、システムバス1001に接続されたＣＰＵ（Central  Processing  Unit）1002、ＲＯＭ（Read  Only  Memory）1003、ＲＡＭ（Random  Access  Memory）1004、ＮＶＲＡＭ（Non-Volatile  Random  Access  Memory）1005を備えている。また、検体検査システム・サーバ装置１等は、Ｉ／Ｆ（Interface）1006と、Ｉ／Ｆ1006に接続された、Ｉ／Ｏ（Input/Output  Device）1007、ＨＤＤ（Hard  Disk  Drive）／ＳＳＤ（Solid  State  Drive）1008、ＮＩＣ（Network  Interface  Card）1009とを備えている。また、検体検査システム・サーバ装置１等は、Ｉ／Ｏ1007に接続されたモニタ1010、キーボード1011、マウス1012等を備えている。Ｉ／Ｏ1007にはＣＤ／ＤＶＤ（Compact  Disk/Digital  Versatile  Disk）ドライブ等を接続することもできる。
【００２２】
検体検査システム・サーバ装置１等の機能（図２）は、ＣＰＵ1002において所定のプログラムが実行されることで実現される。プログラムは、記録媒体を経由して取得されるものでもよいし、ネットワークを経由して取得されるものでもよいし、ＲＯＭ組込でもよい。
【００２３】
＜動作＞
［検査結果値の蓄積］
図４は上記の実施形態の処理例を示すシーケンス図であり、検査結果値が取得される過程を示すものである。
【００２４】
図４において、診療部門で検査が指示される場合、端末装置７から電子カルテシステム・サーバ装置３に対して、患者ＩＤ、診療科、検査項目等を特定して検査オーダーが行われる（ステップＳ１０１）。これを受け、電子カルテシステム・サーバ装置３の診療情報管理部３１は検査オーダーを診療情報３４に登録する（ステップＳ１０２）とともに、検体検査システム・サーバ装置１に対して検査オーダーを転送する（ステップＳ１０３）。
【００２５】
検体検査システム・サーバ装置１の検査情報管理部１１は、検査オーダーを受け付けると、検査オーダーを検査情報１４に登録する（ステップＳ１０４）。また、検体検査システム・サーバ装置１の検査情報管理部１１は、端末装置６に対してラベル情報を通知し（ステップＳ１０５）、端末装置６は所定のプリンタ等によりラベルを発行する（ステップＳ１０６）。端末装置６はラベル発行完了を検体検査システム・サーバ装置１に通知し（ステップＳ１０７）、検体検査システム・サーバ装置１の検査情報管理部１１はラベル発行済を検査情報１４に登録する（ステップＳ１０８）。なお、ラベル発行は診療部門の端末装置７において行ってもよい。発行されたラベルは検体の容器等に貼り付けられ、診療部門において採血等の検体の採取が行われ、検査部門に移送される。
【００２６】
その後、検査部門において検体が受け付けられると、端末装置６において検体受付の操作が行われ（ステップＳ１０９）、端末装置６は検体検査システム・サーバ装置１に対して検体受付を通知する（ステップＳ１１０）。これを受け、検体検査システム・サーバ装置１の検査情報管理部１１は検体受付を検査情報１４に登録する（ステップＳ１１１）。
【００２７】
その後、検査装置２から検体の検査結果が通知されると（ステップＳ１１２）、検体検査システム・サーバ装置１の検査情報管理部１１は検査結果を検査情報１４に登録する（ステップＳ１１３）。そして、検体検査システム・サーバ装置１の検査情報管理部１１は、検査結果を端末装置６に通知し（ステップＳ１１４）、端末装置６で承認が行われ（ステップＳ１１５）、その旨が通知されると（ステップＳ１１６）、検査情報１４に登録する（ステップＳ１１７）。その後、検体検査システム・サーバ装置１の検査情報管理部１１は電子カルテシステム・サーバ装置３に検査結果を送信する（ステップＳ１１８）。検査結果は診療において利用される。
【００２８】
一方、所定のタイミングにおいて、検体検査システム・サーバ装置１と電子カルテシステム・サーバ装置３から蓄積対象の情報が診療データ蓄積サーバ装置４に送信され（ステップＳ１１９、Ｓ１２１）、診療データ蓄積サーバ装置４の情報蓄積管理部４１は診療情報４２または検査結果情報４３に登録を行う（ステップＳ１２０、Ｓ１２２）。なお、実際の運用では、事前に検体検査システム・サーバ装置１の検査情報を電子カルテシステム・サーバ装置３にコピーしておき、検査項目カタログ・サーバ装置８は、電子カルテシステム・サーバ装置３にある診療情報と検査情報とを診療データ蓄積サーバ装置４にコピーしている。これにより、電子カルテシステム・サーバ装置３で検査情報を保持している場合は、電子カルテシステム・サーバ装置３から診療データ蓄積サーバ装置４へのコピーだけで情報の蓄積を行うことができる。
【００２９】
［マスタメンテナンス］
図５は検査項目カタログ・サーバ装置８による検体検査システム・サーバ装置１と電子カルテシステム・サーバ装置３のマスタメンテナンスの処理例を示すシーケンス図である。
【００３０】
図５において、検査項目カタログ・サーバ装置８を導入した初期において、検査項目カタログ・サーバ装置８のマスタメンテナンス部８２は、各システムからマスタデータを取得し、初期マスタを作成する。すなわち、検査項目カタログ・サーバ装置８のマスタメンテナンス部８２は、検体検査システム・サーバ装置１と電子カルテシステム・サーバ装置３からそれぞれＥＸＣＥＬファイルまたはＣＳＶファイル等により、オフラインにより、マスタデータを取得する（ステップＳ２０１、Ｓ２０２）。そして、それらのマスタデータの項目に対してマージ等を行うことで、初期マスタを作成する（ステップＳ２０３）。
【００３１】
その後の運用において、端末装置６から検査項目カタログ・サーバ装置８にマスタメンテナンスのためのログインが行われると（ステップＳ２０４）、検査項目カタログ・サーバ装置８のマスタメンテナンス部８２は、メンテナンスの処理を開始する。すなわち、マスタメンテナンス部８２は、検査項目マスタ１２および基準値マスタ１３から検査項目を抽出し（ステップＳ２０５）、検査項目一覧画面情報を端末装置６に応答する（ステップＳ２０６）。これを受け、端末装置６は検査項目一覧画面を表示する（ステップＳ２０７）。図６は検査項目一覧画面の例を示す図であり、複数の検査項目について、「状態」（一次保存、運用待、運用中、中止）、「項目コード」、「版数」、「変更歴」、「検査名」、「項目名称」、「略称名」、「英名称」、「有効開始日」、「有効終了日」、「親項目コード」、「単位」、「採取」、「材料」、「分野」、「原理」、「測定機」等が表示されている。なお、検査項目一覧画面においては、並び順を変更できるとともに、フィルタにより特定の状態や変更歴について表示する検査項目を絞り込むことができるようになっている。また、名称により検査項目を検索することもできるようになっている。
【００３２】
図５に戻り、端末装置６において、検査項目一覧画面からメンテナンスの対象となる検査項目が選択されると（ステップＳ２０８）、検査項目カタログ・サーバ装置８のマスタメンテナンス部８２は、選択された検査項目の詳細情報を抽出する（ステップＳ２０９）。そして、選択された検査項目について、抽出された詳細情報が設定されたメンテナンス画面情報を端末装置６に応答する（ステップＳ２１０）。これを受け、端末装置６はメンテナンス画面を表示する（ステップＳ２１１）。図７はメンテナンス画面の例を示す図であり、選択された検査項目についての「項目コード」、「版数」、「状態」、「変更歴」、「検査名」、「項目名」、「略称名」、「英名称」、「有効開始日」、「有効終了日」がヘッダ部分に表示されている。また、その下には、「基本項目」「基準値」「ＪＬＡＣ１０コード」「相関」等の欄が設けられている。「基本項目」の欄には、「親項目コード」、「単位」、「測定方法」、「機器」、「材料コード」、「試薬・キット」、「試薬ロット」、「大分類」、「中分類」等が含まれている。「基準値」の欄には、「ＳＥＱ」（連番）、「性別」、「年齢」、「材料」、「時間」、「経過」、「体位」、「負荷」、「下限条件」、「基準下限」、「上限条件」、「基準上限」、「異常下限」、「異常上限」、「パニック下限」、「パニック上限」等が含まれている。「ＪＬＡＣ１０コード」の欄には、「分析物」、「識別」、「材料」、「測定法」、「結果識別」が含まれている。
【００３３】
「相関」の欄には、「換算元検査項目コード」、「版数」、「換算可能最小値」、「最大値」、換算式１、２それぞれの「相関係数」、「傾き」、「切片」、「条件」、「相関図」、「検討データ」、「検査部ニュース」、「試薬添付資料」、「測定範囲下限値」、「測定範囲上限値」、「報告上限値」、相関図の画像等が含まれている。
【００３４】
メンテナンス画面では、変更したい項目の値が変更されていく。この際、規定の項目から選択可能な項目については、値の入力を容易にするためのマスタガイドダイアログ機能が設けられている。図８では、メンテナンス画面の「材料コード」の欄に何も入力されないでＥＮＴＥＲキーが押された場合に材料コードの候補を示すダイアログが表示され、更にそのダイアログの材料名に文字列（例：「便」）を入力して検索を指示した場合に、その文字列を含むものに候補が絞り込まれる様子を示している。
【００３５】
また、図９はＪＬＡＣ１０登録支援機能の例を示している。図示の例では、メンテナンス画面の「ＪＬＡＣ１０コード」の「分析物」の欄に何も入力されないでＥＮＴＥＲキーが押された場合に分析物の候補が予め「検査名」で絞り込まれた状態でダイアログにより表示される。また、分析物コードが選択されることで、結果識別名を示すダイアログでは、分析物コードで予め絞り込まれた結果識別名の候補が表示される。
【００３６】
図５に戻り、端末装置６において設定内容の変更が適宜に行われ（ステップＳ２１２）、検査項目カタログ・サーバ装置８に対して登録が要求されると（ステップＳ２１３）、検査項目カタログ・サーバ装置８のマスタメンテナンス部８２は変更内容を検査項目マスタ８４等に登録する（ステップＳ２１４）。
【００３７】
その後、端末装置６から検査項目カタログ・サーバ装置８に対してマスタデータの反映が要求されると（ステップＳ２１５）、検査項目カタログ・サーバ装置８のマスタメンテナンス部８２はマスタ反映を実行する。すなわち、マスタメンテナンス部８２は、検体検査システム・サーバ装置１および電子カルテシステム・サーバ装置３に対してマスタデータを送信し（ステップＳ２１６、Ｓ２１７）、反映を行わせる。
【００３８】
図１０は、新規に検査項目を追加する場合の処理例である。図１０において、端末装置６から検査項目カタログ・サーバ装置８にマスタメンテナンスのためのログインが行われると（ステップＳ２２１）、検査項目カタログ・サーバ装置８のマスタメンテナンス部８２は、メンテナンスの処理を開始する。すなわち、マスタメンテナンス部８２は、検査項目マスタ１２および基準値マスタ１３から検査項目を抽出し（ステップＳ２２２）、検査項目一覧画面情報を端末装置６に応答する（ステップＳ２２３）。これを受け、端末装置６は検査項目一覧画面を表示する（ステップＳ２２４）。検査項目一覧画面は前述したのと同様である。
【００３９】
次いで、端末装置６において、項目コードが指定されて新規の検査項目の追加が選択されると（ステップＳ２２５）、検査項目カタログ・サーバ装置８のマスタメンテナンス部８２は指定された項目コードの検査項目が既に存在するか否か判断する。存在する場合には詳細情報を抽出する（ステップＳ２２６）。そして、マスタメンテナンス部８２は、既に存在する検査項目の場合は詳細情報が設定されたメンテナンス画面情報を、存在しない場合は設定内容がブランクのメンテナンス画面情報を、端末装置６に応答する（ステップＳ２２７）。これを受け、端末装置６はメンテナンス画面を表示する（ステップＳ２２８）。
【００４０】
端末装置６において設定内容の設定または変更が適宜に行われ（ステップＳ２２９）、検査項目カタログ・サーバ装置８に対して登録が要求されると（ステップＳ２３０）、検査項目カタログ・サーバ装置８のマスタメンテナンス部８２は変更内容を検査項目マスタ８４等に登録する（ステップＳ２３１）。
【００４１】
その後、端末装置６から検査項目カタログ・サーバ装置８に対してマスタデータの反映が要求されると（ステップＳ２３２）、検査項目カタログ・サーバ装置８のマスタメンテナンス部８２はマスタ反映を実行する。すなわち、マスタメンテナンス部８２は、検体検査システム・サーバ装置１および電子カルテシステム・サーバ装置３に対してマスタデータを送信し（ステップＳ２３３、Ｓ２３４）、反映を行わせる。
【００４２】
［二次利用］
図１１は検査項目カタログ・サーバ装置８による二次利用の処理例を示すシーケンス図である。図１１において、端末装置６から検査項目カタログ・サーバ装置８に対して二次利用データ抽出画面が要求されると（ステップＳ３０１）、検査項目カタログ・サーバ装置８の二次利用部８３は二次利用データ抽出画面情報を応答する（ステップＳ３０２）。これを受け、端末装置６は二次利用データ抽出画面を表示する（ステップＳ３０３）。
【００４３】
図１２は二次利用データ抽出画面の例を示す図であり、初期状態では、検査名による検索は行われていないため、上欄の一覧は空欄となっている。検査名検索を行い、候補の一覧から所望の検査項目を選択することで、二次利用の対象となる検査項目が指定される。二次利用データ抽出画面の下欄には「抽出条件」「出力条件」の欄が設けられている。「抽出条件」の欄には、「期間指定」「対象患者指定」の欄が設けられている。「対象患者指定」では、「なし」「入力リスト」「ファイル取込」「患者条件指定」が選択できる。「なし」を選択した場合、全患者が抽出対象となる。「入力リスト」を選択した場合、入力リストに登録された患者（患者番号）が抽出対象となる。「ファイル取込」を選択した場合、指定されたファイルのリストに記載された患者（患者番号）が抽出対象となる。「患者条件指定」を選択した場合、「年齢」の指定と「性別」の指定に該当する患者が抽出対象となる。「出力条件」の欄には、「匿名化」（なし、あり）、「検査値換算」（なし、最新版数、版数指定（検査項目コード、版数））、「出力項目」（患者番号、年齢、性別、換算式、抽出条件、依頼料、病棟、入外）、「出力ファイル名」、「条件ファイル」（取込、保存）の項目がある。
【００４４】
図１１に戻り、二次利用データ抽出画面において、検査項目についての検査項目詳細画面を表示することもできる。すなわち、端末装置６において、二次利用データ抽出画面から検査項目が選択されると（ステップＳ３０４）、検査項目カタログ・サーバ装置８の二次利用部８３は、選択された検査項目の詳細情報を抽出する（ステップＳ３０５）。そして、選択された検査項目について、抽出された詳細情報が設定された検査項目詳細画面を端末装置６に応答する（ステップＳ３０６）。これを受け、端末装置６は検査項目詳細画面を表示する（ステップＳ３０７）。図１３は検査項目詳細画面の例を示す図であり、図７に示したメンテナンス画面と同様の内容（下欄のＨＩＳ項目を除く）を含んでいる。
【００４５】
図１１に戻り、二次利用データ抽出画面において、二次利用データ抽出要求が行われる（図１２における「データ出力」ボタンが押される）ことで（ステップＳ３０８）、二次利用データの出力が開始される。すなわち、検査項目カタログ・サーバ装置８の二次利用部８３は、診療データ蓄積サーバ装置４、検体検査システム・サーバ装置１または電子カルテシステム・サーバ装置３から該当する情報を取得する（ステップＳ３０９〜Ｓ３１４）。
【００４６】
そして、検査項目カタログ・サーバ装置８の二次利用部８３は、相関情報に基づいて検査結果値を変換し（ステップＳ３１５）、変換の済んだ二次利用データをパス指定された位置にデータ出力（ファイル保存）する（ステップＳ３１６）。そして、二次利用部８３は端末装置６にデータ出力の完了を通知し（ステップＳ３１７）、端末装置６はその旨を表示する（ステップＳ３１８）。なお、相関情報に基づく変換とデータ出力を検査項目カタログ・サーバ装置８側で行う場合について説明したが、端末装置６側で相関情報に基づく変換を行い、データ出力を行ってもよい。
【００４７】
図１４は検査結果値の変換の例を示す図であり、Ａという項目（検査名）について、上段に示すように、有効開始日〜有効終了日と版数が推移してきており、１代目〜４代目までの４世代の検査結果値が存在しているものとする。１代目の検査結果値をａ、２代目の検査結果値をｂ、３代目の検査結果値をｃ、４代目の検査結果値をｄとした場合の換算式が併記されている。換算式は、それぞれ一つ前の世代の検査結果値を次の世代の検査結果値に変換するものである。例えば、１代目の検査結果値ａは、換算式を３回適用することで、４代目の検査結果値ｄに変換することができる。
【００４８】
この場合に、中段に示すような、ある患者の項目Ａの検査結果値が過去のデータから抽出された場合、例えば、測定日（検査日）がいずれの有効開始日〜有効終了日に属するかで何代目であるかを特定し、当時の検査結果値に換算式を適用することで、換算値（変換後の検査結果値）を得る。下段には、測定日に対する検査結果値の推移がグラフで示されており、破線は当時の検査結果値を、実線は換算値を示している。もし当時の検査結果値だけで推移を見ると一律に検査結果値が上昇していることになるが、換算値で推移を見ると、検査結果値に変化がない時期や減少している時期が判明し、診療や研究に有用な情報を提供することになる。
【００４９】
図１５はデータ出力された二次利用ＣＳＶデータの例を示す図であり、「検査項目名」「抽出条件」「検査項目情報（項目コード、版数、変更歴、項目名称、単位、有効開始日、有効終了日）」「相関情報」が上部に記載され、その後に患者のデータが列挙されている。患者のデータについては、「患者番号」「受付日」「オーダ番号」「検査項目コード」「版数」「ＪＬＡＣ１０コード」「検査値」「検査値（変換）」「判定」「結果コメント」「換算先検査コード」「換算先版数」「換算式」「依頼料コード」「依頼科名」「病棟コード」「病棟名」等が含まれている。
【００５０】
＜総括＞
以上説明したように、本実施形態によれば、検査項目のコード間の関係に基づいて検査結果を補正することができる。
【００５１】
すなわち、換算した結果値で時系列表示することにより、分析装置、試薬の変更等も考慮された過去からの結果値の変遷を正しく確認することができる。相関情報は検査項目のコードや検査項目名称が新旧で異なる場合でも対応付けて管理、結果値の換算が可能であり、また複数世代を遡って換算することもできる。相関した結果を自動的に計算し、表示・出力することで新旧機器、試薬、または施設間でシームレスな連携ができる。システム内で管理した相関情報をもとに換算結果を表示・出力することができるため正規化する際の手間を削減し、計算ミスを防ぐ。容易に検査結果値の正規化が可能となるため、相関情報が積極的に活用されて、診療過誤防止に寄与する。
【００５２】
以上、好適な実施の形態により説明した。ここでは特定の具体例を示して説明したが、特許請求の範囲に定義された広範な趣旨および範囲から逸脱することなく、これら具体例に様々な修正および変更を加えることができることは明らかである。すなわち、具体例の詳細および添付の図面により限定されるものと解釈してはならない。
【００５３】
以上の説明に関し、更に以下の項を開示する。
（付記１）
第１の検査コードに対応する検査と第２の検査コードに対応する検査との検査結果を出力する指示を受け付けると、同一の検体に対する前記第１の検査コードに対応する検査と前記第２の検査コードに対応する検査との検査結果に基づいて設定された特定の関係が記憶された記憶部を参照し、
前記特定の関係に基づいて、出力の指示を受け付けた前記第１の検査コードに対応する検査の検査結果を変換した変換結果を出力する、
処理をコンピュータに実行させることを特徴とする検査結果変換プログラム。
（付記２）
前記特定の関係は、相関係数と、傾きと、切片とで特定される換算式により表現される、
ことを特徴とする付記１に記載の検査結果変換プログラム。
（付記３）
前記検査コードには、検査が有効な期間を示す開始日および終了日と、版数とが対応付けられる、
ことを特徴とする付記１または２に記載の検査結果変換プログラム。
（付記４）
第１の検査コードに対応する検査と第２の検査コードに対応する検査との検査結果を出力する指示を受け付けると、同一の検体に対する前記第１の検査コードに対応する検査と前記第２の検査コードに対応する検査との検査結果に基づいて設定された特定の関係が記憶された記憶部を参照し、
前記特定の関係に基づいて、出力の指示を受け付けた前記第１の検査コードに対応する検査の検査結果を変換した変換結果を出力する、
処理を実行する機能を備えることを特徴とする検査結果変換装置。
（付記５）
前記特定の関係は、相関係数と、傾きと、切片とで特定される換算式により表現される、
ことを特徴とする付記４に記載の検査結果変換装置。
（付記６）
前記検査コードには、検査が有効な期間を示す開始日および終了日と、版数とが対応付けられる、
ことを特徴とする付記４または５に記載の検査結果変換装置。
（付記７）
第１の検査コードに対応する検査と第２の検査コードに対応する検査との検査結果を出力する指示を受け付けると、同一の検体に対する前記第１の検査コードに対応する検査と前記第２の検査コードに対応する検査との検査結果に基づいて設定された特定の関係が記憶された記憶部を参照し、
前記特定の関係に基づいて、出力の指示を受け付けた前記第１の検査コードに対応する検査の検査結果を変換した変換結果を出力する、
処理をコンピュータが実行することを特徴とする検査結果変換方法。
（付記８）
前記特定の関係は、相関係数と、傾きと、切片とで特定される換算式により表現される、
ことを特徴とする付記７に記載の検査結果変換方法。
（付記９）
前記検査コードには、検査が有効な期間を示す開始日および終了日と、版数とが対応付けられる、
ことを特徴とする付記７または８に記載の検査結果変換方法。
【符号の説明】
【００５４】
１              検体検査システム・サーバ装置
１１            検査情報管理部
１２            検査項目マスタ
１３            基準値マスタ
１４            検査情報
１５            通信部
２              検査装置
３              電子カルテシステム・サーバ装置
３１            診療情報管理部
３２            検査項目マスタ
３３            基準値マスタ
３４            診療情報
３５            通信部
４              診療データ蓄積サーバ装置
４１            情報蓄積管理部
４２            診療情報
４３            検査結果情報
４４            通信部
５              ネットワーク
６、７          端末装置
６１、７１      通信部
６２、７２      入出力部
８              検査項目カタログ・サーバ装置
８１            通信部
８２            マスタメンテナンス部
８３            二次利用部
８４            検査項目マスタ
８５            基準値マスタ
８６            相関情報
８７            二次利用情報
【図１】
2018060239.tif 000003
【図２】
2018060239.tif 000004
【図３】
2018060239.tif 000005
【図４】
2018060239.tif 000006
【図５】
2018060239.tif 000007
【図６】
2018060239.tif 000008
【図７】
2018060239.tif 000009
【図８】
2018060239.tif 000010
【図９】
2018060239.tif 000011
【図１０】
2018060239.tif 000012
【図１１】
2018060239.tif 000013
【図１２】
2018060239.tif 000014
【図１３】
2018060239.tif 000015
【図１４】
2018060239.tif 000016
【図１５】
2018060239.tif 000017